(57)【要約】【課題】  地震等に対して壁体部材の耐力を向上することができると共に、地面近傍の施工時に壁体部材が邪魔になることのない地中に挿入して地下中空構造物の側版部を形成するプレキャストコンクリート製の壁体部材及びその壁体部材を用いた地下中空構造物の施工方法を提供することを目的とする。【解決手段】  地中に挿入して地下中空構造物の側版部を形成するプレキャストコンクリート製の壁体部材10において、前記壁体部材10は、地中に挿入した後に上下方向に分割可能であることを特徴としてなる。【選択図】        図１
2006090048.tif 000002
【特許請求の範囲】
【請求項１】
地中に挿入して地下中空構造物の側版部を形成するプレキャストコンクリート製の壁体部材において、
前記壁体部材は、地中に挿入した後に上下方向に分割可能であることを特徴とする地下中空構造物の壁体部材。
【請求項２】
前記壁体部材における上下方向に分割される部位は、前記壁体部材の上下方向が連結部材で連結されていることを特徴とする請求項１記載の地下中空構造物の壁体部材。
【請求項３】
請求項１又は２記載の地下中空構造物の壁体部材を地中の両側に挿入した後に、両側の壁体部材間を掘削し、この両側の壁体部材を頂版部と底版部で連結した後、前記頂版部で連結される部位から上方における前記壁体部材の両側の連結を解除すると共に、前記底版部から下方における前記壁体部材の両側の連結を解除することを特徴とする地下中空構造物の施工方法。
【発明の詳細な説明】
【技術分野】
【０００１】
本発明は、地中に挿入して地下中空構造物の側版部を形成するプレキャストコンクリート製の壁体部材及びその壁体部材を用いた地下中空構造物の施工方法に関する。
【背景技術】
【０００２】
従来、地中に挿入して地下中空構造物の側版部を形成するプレキャストコンクリート製の壁体部材を用いた地下中空構造物の施工方法としては、地下中空構造物の壁体部材を地中の両側に挿入した後に、前記壁体部材の両側をプレキャストコンクリート製の頂版部材で連結して、前記頂版部材の下方を掘削して底部を形成する地下中空構造物の施工方法が知られている。
【特許文献１】特開２００３−１９３４９４号公報
【特許文献２】特開２００１−３９２６８９号公報
【発明の開示】
【発明が解決しようとする課題】
【０００３】
しかしながら、上述の従来技術では、地中に挿入されたプレキャストコンクリート製の壁体部材は、地下中空構造物の底部に対して下方に延びているので、壁体部材が地下中空構造物の上下方向に対して長くなるため、地下中空構造物の構築後において、地震等に対する壁体部材の耐力を向上することができないという課題がある。
【０００４】
また、地中構造物の構築後には、該地下中空構造物の上方に壁体部材の上部が残ってしまうため、地面と地下中空構造物の上部との間に、例えば水道やガスなどの地中埋設物を埋設施工する際、前記壁体部材が邪魔になるという問題点がある。
【０００５】
本発明は、上記のような状況を鑑みてなされたもので、地震等に対して壁体部材の耐力を向上することができると共に、地面と地下中空構造物の上部との間で、壁体部材が埋設物の邪魔になることのない地中に挿入して地下中空構造物の側版部を形成するプレキャストコンクリート製の壁体部材及びその壁体部材を用いた地下中空構造物の施工方法を提供することを目的とする。
【課題を解決するための手段】
【０００６】
前述の課題を解決するため、本発明に係る地下中空構造物の壁体部材及び地下中空構造物の施工方法は、次のような手段を採用する。
【０００７】
即ち、請求項１記載の発明の地下中空構造物の壁体部材は、地中に挿入して地下中空構造物の側版部を形成するプレキャストコンクリート製の壁体部材において、前記壁体部材は、地中に挿入した後に上下方向に分割可能であることを特徴とする。
【０００８】
また、請求項２記載の発明の地下中空構造物の壁体部材は、請求項１記載の発明において、前記壁体部材における上下方向に分割される部位は、前記壁体部材の上下方向が連結部材で連結されていることを特徴とする。
【０００９】
また、請求項３記載の発明の地下中空構造物の施工方法は、請求項１又は２記載の地下中空構造物の壁体部材を地中の両側に挿入した後に、両側の壁体部材間を掘削し、この両側の壁体部材を頂版部と底版部で連結した後、前記頂版部で連結される部位から上方における前記壁体部材の両側の連結を解除すると共に、前記底版部から下方における前記壁体部材の両側の連結を解除することを特徴とする。
【発明の効果】
【００１０】
請求項１記載の発明の地下中空構造物の壁体部材によれば、地中に挿入して地下中空構造物の側版部を形成するプレキャストコンクリート製の壁体部材は、地中に挿入した後に上下方向に分割可能であるため、地下中空構造物における側版部の上下方向の長さを必要に応じて適宜壁体部材を分割して施工することができるため、地震等に対して壁体部材の耐力を向上することができると共に、地面近傍の壁体部材が他の埋設物の邪魔になることのない地中に挿入して地下中空構造物の側版部を形成するプレキャストコンクリート製の壁体部材を提供することができる。
【００１１】
また、請求項２記載の発明の地下中空構造物の壁体部材によれば、壁体部材の上下方向は連結部材で連結されているため、連結部材の連結を解除して地下中空構造物における側版部の上下方向の長さを必要に応じて適宜壁体部材を分割して施工できる。
【００１２】
また、請求項３記載の発明の地下中空構造物の施工方法によれば、請求項１又は２記載の地下中空構造物の壁体部材を地中の両側に挿入した後に、両側の壁体部材間を掘削し、この両側の壁体部材を頂版部と底版部で連結した後、前記頂版部で連結される部位から上方における前記壁体部材の両側の連結を解除すると共に、前記底版部から下方における前記壁体部材の両側の連結を解除するため、壁体部材の分割を地下中空構造物の施工に合わせて行なうことができる。
【発明を実施するための最良の形態】
【００１３】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な地下中空構造物の壁体部材及び地下中空構造物の施工方法を採用することにより、従来にない地下中空構造物の壁体部材及び地下中空構造物の施工方法が得られ、その地下中空構造物の壁体部材及び地下中空構造物の施工方法について記述する。
【実施例１】
【００１４】
以下、本発明に係る地下中空構造物の壁体部材及び地下中空構造物の施工方法の実施例を図面に基づいて説明する。図１は、本発明に係る地下中空構造物の壁体部材10を示す斜視図である。図２（ａ）は、図１のＡ−Ａ線断面図、図２（ｂ）は、図１のＢ−Ｂ線断面図である。
【００１５】
プレキャストコンクリート製の壁体部材10は、上部部材12、中部部材14及び下部部材16から主に構成されている。上部部材12は、正面視で略矩形長尺状に形成されている。また、上部部材12は、横断面上面視で右側を開口する略コ字状に形成されている。また、上部部材12の底面部12aは、底面視で略矩形状に形成され貫通孔12bが上下方向に形成されている。中部部材14は、正面視で略右傾長尺状に形成されている。中部部材14の上面部14aは、上面視で略矩形状に形成され貫通孔14bが上下方向に形成されている。また、中部部材14、横断面上面視で右側を開口する略コ字状に形成されている。また、中部部材14の底面部14cは、底面視で略矩形状に形成され貫通孔14bが上下方向に形成されている。下部部材16は、正面視で略矩形長尺状に形成されている。また、下部部材16は、横断面上面視で右側を開口する略コ字状に形成されている。また、下部部材16の上面部16aは、上面視で略矩形状に形成され貫通孔16bが上下方向に形成されている。また、上部部材12の底面部12aと中部部材14の上面部14a、及び中部部材14の底面部14aと下部部材16の上面部16aとは、連結部材18で連結されている。連結部材18としては、貫通孔12b及び貫通孔14b、又は貫通孔14b及び貫通孔16bを貫通するＰＣ鋼材などのボルト部材、及びナットとが挙げられる。
【００１６】
次に、以上のように構成されている地下中空構造物の壁体部材10を用いて地下中空構造物を施工する方法について説明する。
【００１７】
最初に、図３に示すように、地下中空構造物の壁体部材10は、左右方向に所定間隔で壁体部材10の上面を叩いて打ち込み、又は地面Ｇを掘削して地中に挿入される。
【００１８】
次いで、図４に示すように、地中に挿入されている対の壁体部材10間を上下方向に対の壁体部材10の上部の分割部が露出する所定距離掘削する。
【００１９】
次いで、図５に示すように、上面部14a，14a間に頂版部22を設け、この頂版部22は、プレキャストコンクリート部材により構成されたり、現場打ちコンクリートにより形成される。
【００２０】
次いで、図６に示すように、頂版部22の下方であって対の壁体部材10間を頂版部22から下方に対の壁体部材10の間を掘削する。そして、図７に示すように、対の壁体部材10間の下部を略平板状の底版部24で連結する。尚、底版部24は、プレキャストコンクリート部材を並べて形成したり、現場打ちコンクリートで形成したりすることができる。
【００２１】
頂版部22及び底版部24を設けた後、図８に示すように、連結部材18のボルト部材18aを上方に抜き取ることにより、対の壁体部材10の上部及び下部の連結を解除する。尚、ナット18ｂを回り止め固定しておけば、ボルト部材18aを回すことによりナット18ｂを外すことができる。このように、頂版部22及び底版部24を構築した後は、頂版部22及び底版部24が切梁として作用するから、上部部材12と中部部材14、中部部材14と下部部材16の連結を解除することができる。
【００２２】
尚、頂版部22を取り付け、上部部材12を撤去した後は、該頂版部22の上方を地面Ｇと面一に埋め戻す。
【００２３】
また、この例では、頂版部22を構築した後、底版部24を構築したが、壁体部材10，10間を底版部24位置まで掘削し、底版部24を構築した後、頂版部22を構築し、この後、対の壁体部材10の上部及び下部の連結を解除するようにしてもよい。
【００２４】
以上の地下中空構造物の施工方法でボックスカルバートである地下中空構造物が形成される。
【００２５】
以上、本実施形態によれば、地中に挿入して地下中空構造物の側版部を形成するプレキャストコンクリート製の壁体部材10は、地中に挿入した後に上下方向に分割可能であるので、地下中空構造物における側版部の上下方向の長さを必要に応じて適宜壁体部材10を分割して施工することができるため、地下中空構造物の構築後、地震等に対して壁体部材10の耐力を向上することができると共に、地面Ｇ近傍の壁体部材10が地面Ｇ近傍の埋設物の施工時に邪魔になることのない地中に挿入して地下中空構造物の側版部を形成するプレキャストコンクリート製の壁体部材10を提供することができる。
【００２６】
また、本実施形態によれば、壁体部材10の上下方向は連結部材18で連結されているため、連結部材18の連結を解除して地下中空構造物における側版部の上下方向の長さを必要に応じて適宜壁体部材10を分割して施工できる。
【００２７】
また、本実施形態によれば、請求項１又は２記載の地下中空構造物の壁体部材10を地中の両側に挿入した後に、両側の壁体部材10，10間を掘削し、この両側の壁体部材10，10を頂版部22と底版部24で連結した後、頂版部22で連結される部位から上方における壁体部材10の両側の連結を解除すると共に、前記底版部22から下方における壁体部材10の両側の連結を解除するため、壁体部材10の分割を地下中空構造物の施工に合わせて行なうことができる。
【実施例２】
【００２８】
図９及び図１０は本発明の実施例２を示し、上記実施例１と同一部分に同一符号を付し、その詳細な説明を省略して詳述すると、この例では、図９に示すように、地中に挿入されている対の壁体部材10間を、上下方向に対の壁体部材10の上部の分割部が露出する所定距離掘削し、この掘削底部に型枠31を設け、上面部14a，14a間にコンクリートを打設して、それら上面部14a，14aに頂版部22Ａを一体に形成している。
【００２９】
このようにして現場打ちコンクリートによる頂版部22Ａを形成した後、この頂版部22Ａより下方を掘削すると共に、型枠31を撤去し、上面部16a位置まで掘削し、図１０に示すように、底版部24を形成する。また、頂版部22Ａ及び底版部24を形成した後は、対の壁体部材10の上部及び下部の連結を解除して対の壁体部材10の上部部材12及び下部部材16を取り外すことができる。尚、この例では、中部部材14，14の上面部14ａ，14a間に頂版部22Ａを設けるから、上部部材12は、地下中空構造物の構築後、頂版部22Ａの上部を埋め戻す前に、中部部材14との連結を解除して取り外すようにしてもよい。
【実施例３】
【００３０】
図１１及び図１２は本発明の実施例３を示し、上記実施例１と同一部分に同一符号を付し、その詳細な説明を省略して詳述すると、この例では、連結部材18は、両ねじ付のボルト部材18aと、該ボルト部材18aの両端側に螺合するナット18b，18ｂとからなり、このようにボルト部材18aの両端にナット18b，18ｂを設けたから、上下どちらからでもナットナット18b，18ｂを緩めてボルト部材18aを引き抜くことができ、連結解除の作業性が向上する。
【００３１】
また、上部部材12の底面部12aを除いた部分、中部部材14の上面部14aと底面部14cを除いた部分、及び下部部材16の上面部16aを除いた部分の断面形状は、図１２に示すように、方形の内部に中心孔19を有する形状をなす。また、上部部材12の底面部12aの近傍内面部分、中部部材14の上面部14aと底面部14cの近傍の内面部分、及び下部部材16の上面部16a近傍の内面部分には、連結部材18操作用の操作孔20が穿設され、この操作孔20からナット18ｂを回す操作やボルト部材18aを抜き取る操作を行うことができる。
【００３２】
尚、本発明は上記実施形態に限定されるものではなく、本発明の要旨の範囲内において種々の変形実施が可能である。
【図面の簡単な説明】
【００３３】
【図１】本発明の実施例１に係る地下中空構造物の壁体部材及び地下中空構造物の施工方法を説明する図である。
【図２】同上、図２（ａ）は、図１のＡ−Ａ線断面図、図２（ｂ）は図１のＢ−Ｂ線断面図である。
【図３】同上、地下中空構造物の施工方法の一実施形態を説明する図である。
【図４】同上、地下中空構造物の施工方法の一実施形態を説明する図である。
【図５】同上、地下中空構造物の施工方法の一実施形態を説明する図である。
【図６】同上、地下中空構造物の施工方法の一実施形態を説明する図である。
【図７】同上、地下中空構造物の施工方法の一実施形態を説明する図である。
【図８】同上、地下中空構造物の施工方法の一実施形態を説明する図である。
【図９】本発明の実施例２を示す地下中空構造物の施工方法の一実施形態を説明する図である。
【図１０】同上、地下中空構造物の施工方法の一実施形態を説明する図である。
【図１１】本発明の実施例３を示す地下中空構造物の施工方法の一実施形態を説明する図である。
【図１２】同上、図１１のＣ−Ｃ線断面図である。
【符号の説明】
【００３４】
10  壁体部材
18  連結部材
22，22Ａ  頂版部
24  底版部
【図１】
2006090048.tif 000003
【図２】
2006090048.tif 000004
【図３】
2006090048.tif 000005
【図４】
2006090048.tif 000006
【図５】
2006090048.tif 000007
【図６】
2006090048.tif 000008
【図７】
2006090048.tif 000009
【図８】
2006090048.tif 000010
【図９】
2006090048.tif 000011
【図１０】
2006090048.tif 000012
【図１１】
2006090048.tif 000013
【図１２】
2006090048.tif 000014